(57)【要約】      （修正有）【課題】無限に存在する宇宙エネルギーはそのままの状態では高次のエネルギーであるため人間には利用できない。高次のエネルギーを三次元のエネルギーまでレベルを下げることにより人間に利用できるようにするためのエネルギー転換装置を提供する。【解決手段】正四面体２の各頂点に１個ずつ、正四面体を構成する稜線上に１個もしくは２個、合計１２個の水晶球を配した正四面体を特定の回転数で回転させることにより、宇宙エネルギーを人間が利用できるレベルまで低下させる変換装置。また、この変換装置を複数ユニット積重ねてカラム内に収め、その周囲に水を流すことで各種の波動エネルギーを持つ活性水を連続的に得ることができる変換装置。【選択図】図３
2009072697.tif 000002
【特許請求の範囲】
【請求項１】
円筒形の容器であって、その内部の天井部に設置したＬＥＤで白色光を照射する部分と、その下部で回転するターンテーブル上に正四面体の三角錐を載置し、該ターンテーブルを回転させる駆動装置が一体となっている変換ユニットにおいて、正四面体の三角錐は、正四面体を構成する４つの頂点に１個ずつ、６本の稜線上に１個もしくは２個、合計１２個の水晶球を配置した正四面体であり、該正四面体を駆動装置により回転させることを特徴とする宇宙エネルギーの変換装置。
【請求項２】
上部に注水管、下部に取水管を設けた外筒と内筒からなる二重構造のカラムであって、請求項１記載の変換装置を１つのユニットとし、内筒内に複数個のユニットを積重ね、内筒の外壁と外筒の内壁に密着するよう内筒全長にわたり内筒上部から下部に向って内筒外壁に沿ってブレードがら旋状に巻き付けられ、水を流すようになっており、カラム外側全面に鏡面体を設置した構造となっていることを特徴とする宇宙エネルギーの変換装置。
【請求項３】
請求項２記載の装置において、一部の変換ユニットのみ回転方向を右回転とし、他の変換ユニットの回転方向を左回転とすることを特徴とする宇宙エネルギーの変換装置。
【請求項４】
請求項２もしくは請求項３記載の変換装置を使用して得られた宇宙エネルギーで活性化された水。
【発明の詳細な説明】
【技術分野】
【０００１】
本発明は、無限にある宇宙エネルギーを人間が使えるレベルまでに変換する装置およびその装置で処理した活性水に関する。
【背景技術】
【０００２】
近年、宇宙エネルギー、生体エネルギー、気功エネルギー、意識エネルギーなどが引起こす現象について研究されたり、そのエネルギーを利用した商品が開発され、販売されている。これらのエネルギーは、現在の科学技術ではその働きのメカニズムは十分に解明されていないのが現状である。例えば、食物の鮮度保持、動植物の活性を増大させる等の他、現在の医学や薬学を駆使しても快癒できない難病などが、これらのエネルギーを利用することで快方に向かったとの経験談が多くあるのも、これらのエネルギーの効果を示す一例であるといえる。
【０００３】
本発明では、これらのエネルギーを総称して宇宙エネルギーという。もともと宇宙エネルギーは至る所に種々存在しているのであるが、ここでいう宇宙エネルギーは極めて高次のエネルギーであるため、そのままでは人間は利用することができない。すなわち、エネルギーのレベルを三次元のレベルまで低下させる必要がある。その観点から宇宙エネルギーを利用しようとする試みもなされている。
【特許文献１】特開平７−４７１４０公報
【特許文献２】特開平１０−７３７００公報
【発明の開示】
【発明が解決しようとする課題】
【０００４】
しかしながら、先述したように、宇宙エネルギーは極めて高次のエネルギーであるため、そのままでは人間は利用することができない。物理現象すべてが相反する方向に引張り合う二面性があるように、そもそも宇宙には初めから陰と陽とがあり、その調和で宇宙エネルギーが空間に存在しているのであるが、調和のとれた状態、すなわち、バランスのとれた状態では、宇宙エネルギーはそこに存在するだけであるので、何らかの手段を講じて宇宙エネルギーを人間に利用できるようにしなければならない。
【課題を解決するための手段】
【０００５】
本発明者らはこのような現状に鑑み、バランスのとれた状態を一時的に崩すことによってアンバランスな状態にし、アンバランスな状態をバランスのとれた状態に戻そうとしてエネルギーが呼び込まれることを解明し、このエネルギーを利用できることを見出し、本発明を完成した。
【０００６】
すなわち、本発明の要旨は、円筒形の容器であって、その内部の天井部に設置したＬＥＤで白色光を照射する部分と、その下部で回転する台上に正四面体の正三角錐を載置し、該台を回転させる駆動装置が一体となっている変換ユニットにおいて、正四面体の正三角錐は、正四面体を構成する４つの頂点に１個ずつ、６本の稜線上に１個もしくは２個、合計１２個の水晶球を配置した正四面体であり、該正四面体を駆動装置により回転させることを特徴とする宇宙エネルギーの変換装置であり、該変換装置を１ユニットとして二重構造のカラムの内筒内に複数個のユニットを積重ね、内筒の外壁と外筒の内壁に密着するよう内筒全長にわたり内筒上部から下部に向って内筒外壁に沿ってブレードがら旋状に巻き付けられ、水を流すようになっており、カラム外側全面に鏡面体を設置した構造となっていることを特徴とする宇宙エネルギーの変換装置であり、また、本装置の一部の変換ユニットのみ他のユニットと逆回転とすることを特徴とする宇宙エネルギーの変換装置であって、さらにこの装置を使用して得られた宇宙エネルギーで活性化された水である。
【発明の効果】
【０００７】
本発明の宇宙エネルギーの変換装置が創り出すエネルギーの力場に水を流すことにより、簡単に優れた活性水を得ることができる。得られた活性水は種々の振動数を持つ波動のエネルギーを有していながら完全調和を示す水である。この活性水を飲用することにより、崩れた身体の各器官のバランスが活性水のエネルギーを受けて本来の正常な器官のバランスのとれた状態に復元しようとする働きが起こり、さらに戻った正常な状態を保とうとする働きもある。このように優れた効能を有する活性水を簡単に得られるようになった。また、本発明の宇宙エネルギーの変換装置において、一部のユニット内の正四面体の回転方向を右回りにすることにより、活性水中に取り込まれたエネルギーを系内に拡散させたり、系内の分子の原子間の結合力を強める効果があるため、分子内の酸素原子が系内に放出されることがないので、酸化防止効果が発現する。そのため、得られる被処理物には抗酸化剤を添加する必要がない。
【発明を実施するための最良の形態】
【０００８】
以下に本発明を詳細に説明する。本発明では正四面体のことを正三角錐ということもある。まず、宇宙エネルギーの変換装置の心臓部をなす正四面体について説明する。図１に水晶球を配された正四面体を上から見た平面図を示す。水晶球は正四面体を形成する正三角形の各頂点に１個、二辺上に１個ずつ、残りの一辺上に２個配されている。図１でいえば、△ＡＢＣにおいて、辺ＡＢ上に１個、ＡＣ上に１個、ＢＣ上に２個配されている。また、△ＡＢＤにおいて、辺ＡＢ上に１個、ＡＤ上に２個、ＢＤ上に１個配されている。△ＡＣＤについていえば、辺ＡＣ上に１個、ＡＤ上に２個、ＣＤ上に１個配されている。これで各正三角形で計７個の水晶球が配されていることになる。従って、正四面体では１２個の水晶球が配置されている。
【０００９】
もし、正三角形の各辺上に１個ずつ水晶球が配されていた場合には、一つの各正三角形に計６個の水晶球が配されていることになる。この正三角形は完全調和、すなわち、バランスのとれた状態となる。バランスのとれた形態の正四面体を回転させても宇宙エネルギーを引き出すことはできない。
【００１０】
しかるに本発明のように各正三角形に計７個の水晶球を配した正四面体はアンバランスな形状となる。これをターンテーブル上に載置し、ある速度で回転させると調和のとれている宇宙バランスを一時的に崩すことになり、バランスのとれた状態に復元しようとする力が働き、この力（宇宙エネルギー）を引出すことができるのである。「７」という数字は人間のチャクラの数と同じで、完全調和を示す。また、非常に宇宙エネルギーを取込みやすい数字なのである。
【００１１】
本発明で水晶球を使用するのは、水晶の成分である二酸化珪素が非常にエネルギーを取込み易い化合物だからである。
【００１２】
図２に宇宙エネルギーの変換装置の概略を示す。図中１は白色光を照射するＬＥＤで７個配置されている。その配置形は正四面体を構成する正三角形における水晶球の配置形と同じにしてある。ＬＥＤの発色光を白色にしているのは可視光の７色（虹を構成する７色）を混合した色とするためである。また白色光を下に置かれて回転している正四面体に照射するのは、宇宙エネルギーを取込み易くするためである。
【００１３】
正四面体２については前述した通りである。正四面体は駆動装置４により回転するターンテーブル３の上に載置されている。これらは円筒の容器に収められ宇宙エネルギーの変換装置ユニット５を構成している。駆動装置によりターンテーブルの回転数と回転方向は調節できるようになっている。
【００１４】
次いで連続水処理装置について説明する。本発明の連続水処理装置は、二重構造のカラムになっている。図３に示すように、内筒６と外筒７の間には水が流れるガイドの役割をするブレード８が内筒の外壁の上部から下部に沿ってら旋状に巻き付けられている。ブレードの外側縁は外筒の内壁に接している。内筒には宇宙エネルギー変換装置ユニット５を複数段積重ねている。カラム上部には電源があり、各ユニットの駆動装置を動かすようになっている。各段のユニットはそれぞれ同じかまたは異なる回転数になるよう調整できるようになっている。
【００１５】
カラムの上部には水を流し込む注入パイプ９があり、下部には処理した水を取出す取水パイプ１０が設けられている。ブレードを内筒にら旋状に巻き付ける回数は多いほど好ましいが、あまり多いと各段のピッチが狭くなって通水抵抗が大きくなるので好ましくない。カラムの長さによっても異なってくるが、好ましくは１５〜５０回である。
【００１６】
ブレードを巻き付ける方向は水がカラム内を右回りの方向に流れるようにブレードを取りつけるのが好ましい。水の流れが右回りだと、渦を想定すれば判るように、集束する方向になる。本発明の場合は、宇宙エネルギーを十分に貯えた活性水にするためにエネルギーが集束する方向、すなわち右回りが好ましいのである。逆に左回りにすると、エネルギーは開放または拡散する効果があり、活性水に貯えられたエネルギーを均一にしたり高める目的である場合には有効である。
【００１７】
水処理カラムの外側にはカラム全体を覆うように鏡面体１１を設置する。カラムのサイズに合わせたガラス製の鏡面体でもよいし、プラスチックにアルミニウムや銀を蒸着させたものでもよい。鏡はエネルギーの増強作用を持っている。外筒のカラムをステンレス製にすることもできる。この場合は上述のような鏡面体を設置することもできるし、カラム内面を研磨して鏡面として利用することもできる。
【００１８】
カラムの内筒内に積重ねられている変換ユニットの数は、３個以上、好ましくは７個である。変換ユニットの数は３個あれば一応の目的を達成することができる。各種波動のエネルギーを発生させるためには、変換ユニットは７個あれば十分である。各段のユニット中の正四面体の回転方向と回転数はそれぞれのユニットで調整できるようになっている。例えば，一番上（１段目）の正四面体は左回転で回転数は９回／ｓｅｃ、二番目（２段目）は左回転で１８回／ｓｅｃ、となるよう「９」の倍数の回転数で正四面体を左回転させるよう各ユニットの駆動装置を調整する。このようにすると、下から２番目（６段目）のユニットの正四面体の回転数は２８８回／ｓｅｃとなる。最下段（７段目）のユニットの正四面体は回転数は無限大とするが、実際は回転させない。これは無限大の回転数で回転する物体は静止した状態のように観察されるので、静止しているのと同じであると想定されるためである。
【００１９】
正四面体の回転数を「９」の倍数にしているのは、「９」という数は人間の心眼を表しているからである。「９」のリズムにおいて、２倍の「１８」は人間の呼吸数に対応する。４倍の「３６」は人間の体温、「７２」は脈拍数に、「１４４」は人間の骨の数、高い方の血圧、そして未発見のものも含めて地球上に存在するであろうと想定されている原子の数に対応している。「２８８」は母体の羊水の働く日数に対応している。このような回転数でアンバランスな形態をした正四面体を回転させることにより、バランスのとれた状態を一時的に崩すことになり、バランスを取り戻そうとする力が働いてくる。その回転数に見合った波動のエネルギーを持つ活性水が得られるのである。
【００２０】
正四面体の回転方向は左回りにするのが好ましい。これは左回りはエネルギーを放散する作用を示すためである。逆に右方向の回転はエネルギーを集束する作用がある。水処理カラムの外側には被処理水が流れている。この水にエネルギーを与えるには正四面体の回転方向は左回りに設定した方が好ましいからである。
【００２１】
また、一部の変換装置の正四面体の回転方向を右方向にすることもできる。例えば、上から６段目のユニットの正四面体だけを右回りで１８８回／ｓｅｃに設定することもできる。６段目のユニットの正四面体の回転方向を右回りにすることにより、５段目まで流れてきて、各波動の宇宙エネルギーを貯えた被処理物が右回転の波動を受けてその内部のエネルギーを系内に拡散させる。宇宙エネルギーのパワーを受けて、被処理物を構成する分子や原子間の結合力を強めるので、分子内の酸素原子が放出されにくくなり、結果として系内の被処理物の酸化が抑制される効果があるため、抗酸化剤の添加も不要となる。
【００２２】
このように連続水処理装置を通して得られた活性水は種々の特性を持っている。本発明者らはこの活性水のことを「０（ゼロ）活性水」と称している。宇宙は全て陰と陽のエネルギーで成り立っている。その陰と陽のバランス、完全調和のことを０（ゼロ）と定義している。つまり、「０（ゼロ）活性水」とは、各種の波動を示すエネルギーに満ち溢れていながら、完全にバランスのとれた状態の水のことを称しているのである。この水を飲用することにより、人間の身体でバランスの崩れた箇所がバランスを復元しようと働き、身体の不具合を修復するのである。
【００２３】
人間の病気といわれるものは、全て各器官の固有のバランスが崩れた状態のことをいう。この「０（ゼロ）活性水」の人間に対する効能は、崩れた各器官のバランスが活性水のエネルギーを受けて、本来の正常な器官のバランス状態に戻ろうする働きを起こさせること、その働きを支援すること、さらにその正常な状態を保とうとする働きもある。この活性水を飲用するだけでなく、身体に塗布するとか噴霧することによっても同様の効果が現れることが判っている。
【００２４】
この「０（ゼロ）活性水」は人間はもちろん動植物以外のさまざまな場面に使用することができる。この活性水で育てた植物は成長が早いし、この活性水を生け花の水に少量入れることで花の寿命を著しく延ばすことができるという結果も得られている。プールの水などの塩素の臭いや肌への影響を少なくすることができる効果も得られている。また、この活性水には制菌作用が認められている。
【００２５】
本発明の装置に水を流して活性水を得る目的だけでなく、空気を流すことで酸素に富んだ空気を得る目的としても利用することができる。すなわち、装置内を流れる空気は各波動の宇宙エネルギーを受け、空気自体の振動数が増加することで蓄積されるエネルギーが増加し、空気中の酸素が活性化されるためである。
【実施例１】
【００２６】
外筒として外径３５０ｍｍ、肉厚４ｍｍのステンレスからなるパイプ、内筒として外径１９０ｍｍ、肉厚５ｍｍのアクリル樹脂製パイプの二重構造のカラムとした。カラム長は１３５０ｍｍであった。外筒と内筒の間に幅７６ｍｍ、厚さ０．５ｍｍステンレス製のブレードを水が右回転しながら流れるよう内筒の上部から下部に向って外壁に沿ってら旋状に巻き付けた。ブレードの外縁は外筒の内壁に密着している。ブレードの巻付け回数は３９回であった。カラムの内筒には、図２に示す転換装置を７個積み重ねた。各ユニットはそれぞれのＬＥＤで白色光を照射した。各ユニットの正四面体の回転方向は左回転、回転数は上から順に９回／ｓｅｃ、１８回／ｓｅｃ、３６回／ｓｅｃ、７２回／ｓｅｃ、１４４回／ｓｅｃ、２８８回／ｓｅｃとし、最下段のユニットは静止状態に調整した。ステンレスカラムの内面は研磨し、鏡面仕上げとした。
【００２７】
カラム上部に設けた５０ｍｍ径の注水パイプから毎秒９Ｌの通水速度でカラムに通水した。水はブレード上を流れ、各ユニットからの波動エネルギーを受けさせた。処理された活性水をカラム下部の取水パイプから連続的に取水した。
【００２８】
得られた活性水は、処理前の水に比べ光っていた。この活性水を生け花の水に少量入れることで花の寿命を延ばすことができた。
【実施例２】
【００２９】
外筒として外径３５０ｍｍ、肉厚４ｍｍのアクリル樹脂からなるパイプ、内筒として外径１９０ｍｍ、肉厚５ｍｍのアクリル樹脂製パイプの二重構造のカラムとした。カラム長は１３５０ｍｍであった。外筒と内筒の間に幅７６ｍｍ、厚さ０．５ｍｍステンレス製のブレードを水が右回転しながら流れるよう内筒の上部から下部に向って外壁に沿ってら旋状に巻き付けた。ブレードの外縁は外筒の内壁に密着している。ブレードの巻付け回数は３９回であった。カラムの内筒には、図２に示す転換装置を７個積み重ねた。各ユニットはそれぞれのＬＥＤで白色光を照射した。各ユニットの正四面体の回転方向は左回転、回転数は上から順に９回／ｓｅｃ、１８回／ｓｅｃ、３６回／ｓｅｃ、７２回／ｓｅｃ、１４４回／ｓｅｃ、２８８回／ｓｅｃとし、最下段のユニットは静止状態に調整した。
【００３０】
カラム全体を覆うように、アクリル樹脂にアルミニウムを蒸着した鏡を設置した。カラム上部に設けた５０ｍｍ径の注水パイプから毎秒９Ｌの通水速度でカラムに通水した。水はブレードを流れ、各ユニットからの波動エネルギーを受けた。処理された水をカラム下部の取水パイプから連続的に取水した。
【００３１】
得られた活性水は、処理前の水に比べ光っていた。この活性水を生け花の水に少量入れることで花の寿命を延ばすことができた。
【実施例３】
【００３２】
上から６段目のユニットのみ回転数を１４４回／ｓｅｃ、回転方向を右回転とした以外は実施例１で使用した装置の５分の１スケールの装置を用いた。カラム上部の注水パイプから通常の入れ方で入れたお茶を流し、取水した。得られたお茶の色は、長期間保存しておいても変化しなかった。未処理のお茶は同期間の保存で濃く着色した。
【図面の簡単な説明】
【００３３】
【図１】本発明の正四面体を上から見た平面図。
【図２】本発明の宇宙エネルギー変換装置を示す概略図。
【図３】連続水処理装置を示す概略図。
【符号の説明】
【００３４】
１  ……  ＬＥＤ
２  ……  正四面体
３  ……  ターンテーブル
４  ……  駆動装置
５  ……  変換装置ユニット
６  ……  内筒
７  ……  外筒
８  ……  ブレード
９  ……  注入パイプ
１０  ……  取水ポンプ
１１  ……  鏡面体
【図１】
2009072697.tif 000003
【図２】
2009072697.tif 000004
【図３】
2009072697.tif 000005